(57)【要約】【課題】店舗の外に設置し犬等を繋ぎ止めておくことができ、しかも看者が必然的に目をやることになる表示を施した表示体を設けることができる動物用係留装置を提供する。【解決手段】持ち手部５３をストッパー３３の左右いずれかの端部から通して、ストッパー３３を潜らせて湾曲軸３１に通す。そして、リード巻きつけ軸４５にリード５１を巻きつけ、ポール７からリード５１が延びることができる長さを規制し、動物用係留装置１に繋がれる犬Ｄの行動範囲を定める。また、犬を動物用係留装置１に繋ぐ者の目の前に、表示「Ａ  Ｂ  Ｃ」が位置することになり、その者は必然的に表示「Ａ  Ｂ  Ｃ」に目をやることになる。従って、動物用係留装置１は高い宣伝広告効果を発揮することができる。【選択図】        図２
2010094105.tif 000002
【特許請求の範囲】
【請求項１】
柱状部と、前記柱状部を立設した状態で支持する支持手段と、前記柱状部に取り付けられたリード連結部と、前記柱状部に設けられ表示が施された表示体とを有することを特徴とする動物用係留装置。
【請求項２】
請求項１に記載した動物用係留装置において、柱状部は正面から視認することができる部位の面積が他の部位に比べて大きくなっていることを特徴とする動物用係留装置。
【請求項３】
請求項１または２に記載された動物用係留装置において、表示体は柱状部に対し着脱でき交換可能となっていることを特徴とする動物用係留装置。
【請求項４】
請求項３に記載した動物用係留装置において、表示体はシート状で柱状部を覆う状態で設けられていることを特徴とする動物用係留装置。
【請求項５】
請求項１から４のいずれかに記載した動物用係留装置において、リード連結部に連結され、柱状部からリードが延びることができる長さを規制するリード規制部が設けられていることを特徴とする動物用係留装置。
【請求項６】
請求項１から５のいずれかに記載した動物用係留装置において、支持手段は柱状部の下端部に設けられ地面に設置する設置部材と、前記設置部材と地面とを連結する連結部材とによって構成されていることを特徴とする動物用係留装置。
【請求項７】
請求項１から５のいずれかに記載した動物用係留装置において、支持手段は柱状部が連結され、地中に埋設状態で設けられる埋設部とによって構成されていることを特徴とする動物用係留装置。
【請求項８】
請求項１から５のいずれかに記載した動物用係留装置において、支持手段は柱状部の下端部に設けられた設置部材と、前記設置部材の上に載せるウエイトとによって構成されていることを特徴とする動物用係留装置。
【発明の詳細な説明】
【技術分野】
【０００１】
本発明は、店舗の入り口付近等に設置され、リードで繋がれた犬等の動物を係留する動物用係留装置に関するものである。
【背景技術】
【０００２】
商店の多くは、店舗内に犬を連れて入るのを規制している。従って、犬を店舗の外に一時的に係留しなければならず、リードを連結して犬を繋ぎ止めておくための設備が必要となる。
【発明の開示】
【発明が解決しようとする課題】
【０００３】
しかしながら、店舗の外にはリードを連結して、犬を繋ぎ止めておくための設備が設けられておらず、極めて不便である。
従って、犬を近隣のフェンス等に繋ぎ止めておくことになるが、その場合には、犬が歩行者等の邪魔になる恐れがある。
ところで、店舗の外には特許文献１に示したような移動式看板が設置されていることが多い。
しかしながら、移動式看板を店舗の外に単に設置しただけでは、看者の注意を促すには不十分であり、高い宣伝広告効果を得ることは困難である。
本発明は上記従来の問題点に着目して為されたものであり、店舗の外に設置し犬等を繋ぎ止めておくことができ、しかも犬等を係留する者が表示に必然的に目をやることになる表示体を設けた動物用係留装置を提供することを、その目的とする。
【０００４】
【特許文献１】特開２００６−１６３３２９号公報
【課題を解決するための手段】
【０００５】
本発明は上記課題を解決するためになされたものであり、請求項１の発明は、柱状部と、前記柱状部を立設した状態で支持する支持手段と、前記柱状部に取り付けられたリード連結部と、前記柱状部に設けられ表示が施された表示体とを有することを特徴とする動物用係留装置である。
【０００６】
請求項２の発明は、請求項１に記載した動物用係留装置において、柱状部は正面から視認することができる部位の面積が他の部位に比べて大きくなっていることを特徴とする動物用係留装置である。
【０００７】
請求項３の発明は、請求項１または２に記載された動物用係留装置において、表示体は柱状部に対し着脱でき交換可能となっていることを特徴とする動物用係留装置である。
【０００８】
請求項４の発明は、請求項３に記載した動物用係留装置において、表示体はシート状で柱状部を覆う状態で設けられていることを特徴とする動物用係留装置である。
【０００９】
請求項５の発明は、請求項１から４のいずれかに記載した動物用係留装置において、リード連結部に連結され、柱状部からリードが延びることができる長さを規制するリード規制部が設けられていることを特徴とする動物用係留装置である。
【００１０】
請求項６の発明は、請求項１から５のいずれかに記載した動物用係留装置において、支持手段は柱状部の下端部に設けられ地面に設置する設置部材と、前記設置部材と地面とを連結する連結部材とによって構成されていることを特徴とする動物用係留装置である。
【００１１】
請求項７の発明は、請求項１から５のいずれかに記載した動物用係留装置において、支持手段は柱状部が連結され、地中に埋設状態で設けられる埋設部とによって構成されていることを特徴とする動物用係留装置である。
【００１２】
請求項８の発明は、請求項１から５のいずれかに記載した動物用係留装置において、支持手段は柱状部の下端部に設けられた設置部材と、前記設置部材の上に載せるウエイトとによって構成されていることを特徴とする動物用係留装置である。
【発明の効果】
【００１３】
本発明の動物用係留装置は、店舗の入り口付近に設置し、柱状部に設けられた連結部にリードを連結して、店舗の外に犬等を繋ぎ止めておくことができる。また、犬等を繋ぎ止める箇所を定めることができるので、繋ぎ止められた犬等が歩行者等の邪魔になるのを防止することができる。
更に、柱状部には表示が施された表示体が設けられているため、犬等を係留する者の目の前に表示体が位置することになり、表示体に必然的に目をやることになる。従って、リードを連結部に連結する者に特に高い宣伝広告効果を発揮することができる。
【発明を実施するための最良の形態】
【００１４】
本発明の実施の形態１に係る動物用係留装置１を図１から図４にしたがって説明する。
動物用係留装置１は店舗の外に設置し、犬を連れてきた客が店舗の外に犬を一時的に繋ぎ止めるために使用するものである。
【００１５】
動物用係留装置１について説明する。
符号７は柱状部としてのポールを示し、このポール７の下端部には円盤状の設置部材３が取り付けられている。設置部材３には４つの穴４が形成されている。
なお、ポール７には衛生面を考慮して抗菌塗装が施されている。
支持手段は設置部材３、穴４及び後述するアンカーボルト５によって構成されている。
【００１６】
図３（Ａ）に示すようにポール７は、その平面形状が楕円形となっており、ポール７の正面側の曲率が側面側の曲率より小さくなっている。従って、ポール７は正面から視認することができる正面部９の面積が側面部１１に比べて広くなっている（図３（Ｂ）参照）。
ポール７には、一対の雌ネジ部１３と一対の雌ネジ部１５が設けられている。
【００１７】
符号１７は表示体としてのシートを示し、このシート１７はポール７を覆う状態で装着されている。シート１７には表示「Ａ  Ｂ  Ｃ」が施されており、この表示「Ａ  Ｂ  Ｃ」がポール７の正面部９に位置するように備えられている。
【００１８】
符号２３はリード連結部を示し、このリード連結部２３はポール７の正面部９の上端部分に取り付けられている。
リード連結部２３の構成について説明する。
符号２５は固定板を示し、この固定板２５にはポール７の一対の雌ネジ部１３に対応する一対のネジ挿通穴２７が形成されている。
固定板２５の中央部には、上方に向かって湾曲する形状の湾曲軸３１が設けられている。湾曲軸３１の先端部には、左右両側が下方へ湾曲する軸３３と、軸３３の両端部に設けられた球状部３５とから成るストッパー３３が一体に形成されている。
【００１９】
符号３７はリード規制部を示し、このリード規制部３７は正面部９のリード連結部２３の下方に取り付けられている。
リード規制部３７の構成について説明する。
符号３９は固定板を示し、この固定板３９には一対の雌ネジ部１５に対応する一対のネジ挿通穴４１が形成されている。
固定板３９の中央部には、リード巻きつけ軸４５が設けられている。リード巻きつけ軸４５は前方へ真っ直ぐに突出している。リード巻きつけ軸４５の先端部には、動物の大腿骨をデフォルメした形状のストッパー４９が一体に形成されている。
【００２０】
次に、この動物用係留装置１の設置場所、固定方法について説明する。
図１に示すように動物用係留装置１は店舗の入り口横の犬を繋いでおいても歩行者等の邪魔にならない場所に設置する。
動物用係留装置１は所定の場所に設置してから、アンカーボルト５を穴４に挿通して地面Ｃに打ち込んで設置部材３と地面Ｃとを連結して、ポール７を立設する状態に支持する（図３、図４参照）。従って、動物用係留装置１が固定されて、倒れたり、不用意に動いてしまったりするのを防止することができる。
また、動物用係留装置１の設置場所を変える場合には、アンカーボルト５を抜いて、動物用係留装置１を移動させてから、再度アンカーボルト５によって地面Ｃに固定する。このように動物用係留装置１は容易に設置場所を変更することができる。
【００２１】
動物用係留装置１にリード５１に繋がれた犬Ｄを繋ぎ止める方法について説明する。
犬Ｄを繋ぐリード５１の一端部には、輪状の持ち手部５３が設けられている。
この持ち手部５３をストッパー３３の左右いずれかの端部から通して、ストッパー３３を潜らせて湾曲軸３１に通す。この状態では持ち手部５３がストッパー３３を潜り抜けない限りは、リード５１がリード連結部２３から外れることない。
そして、リード巻きつけ軸４５にリード５１を巻きつけ、ポール７からリード５１が延びることができる長さを規制する。これによりリード５１を介して動物用係留装置１に繋がれる犬Ｄの行動範囲を調節することができる。犬を繋ぐ者は周囲の状況をみて、リード５１をリード巻きつけ軸４５に巻きつける回数を調節し、歩行者等の邪魔にならないように犬Ｄの行動範囲を決めることができる。
【００２２】
また、リード連結部２３とリード規制部３７が正面部９に取り付けられているので、犬を動物用係留装置１に繋ぐ者の目の前に、表示「Ａ  Ｂ  Ｃ」が位置することになり、その者は必然的に表示「Ａ  Ｂ  Ｃ」に目をやることになる。従って、動物用係留装置１は高い宣伝広告効果を発揮することができる。即ち、動物用係留装置１の前を通る者が表示「Ａ  Ｂ  Ｃ」を見るだけでなく、犬を動物用係留装置１に繋ぐ者は必ず表示「Ａ  Ｂ  Ｃ」を視認することになるため、犬を動物用係留装置１に繋ぐ者に対して特に高い宣伝広告効果を発揮することができる。
また、上述のようにポール７は正面から視認することができる正面部９の面積が側面部１１に比べて広くなっているので、表示「Ａ  Ｂ  Ｃ」をかなり大きなサイズにしても、表示「Ａ  Ｂ  Ｃ」の左右方向の端部が側面部１１に回り込んでしまうことなく全体が正面側から視認可能な状態に表示することができる。
【００２３】
次に、シート１７の交換作業について説明する。
ネジ２９を外して、リード連結部２３をポール７から取り外し、またネジ４３を外し、リード規制部３７をポール７から取り外す。そして、シート１７を縦方向に切断するなどして、シート１７をポール７から外す。
【００２４】
そして、交換用の新しいシート５５の表示「１  ２  ３」がポール７の正面部９に位置するように、シート５５をポール７に装着する。なお、シート５５（１７）のポール７に対する固定方法はポール７に巻き付けたシート５５（１７）の端部どうしを接着剤等によって連結すればよい。
【００２５】
次いで、リード連結部２３の固定板２５をポール７に装着されたシート５５に宛がい、固定板２５の一対のネジ挿通穴２７と一対の雌ネジ部１３とを対応させる。そして、ネジ２９をネジ挿通穴２７に通してシート５５を突き破り、雌ネジ部１３に螺合させて、リード連結部２３をポール７の正面部９に取り付ける。
また、リード規制部３７の固定板３９をポール７に装着されたシート５５に宛がい、固定板３９の一対のネジ挿通穴４１と一対の雌ネジ部１５とを対応させる。そして、ネジ４３をネジ挿通穴４１に通してシート５５を突き破り、雌ネジ部１５に螺合させて、リード規制部３７をポール７の正面部９に取り付ける。
このように動物用係留装置１では、シート５５（１７）を簡単に交換することができるので、表示を新商品発売や季節等に合わせて容易に変更することが可能となり、動物用係留装置１を設置する店舗を運営する者の多様なニーズに応えることができる。
【００２６】
上記のようにシート５５（１７）に広告を表示することができ、しかもシートを交換することによって広告内容の変更を容易に行うことができる。従って、シートに広告を表示する広告スポンサーの募集が行い易くなり、この広告料を動物用係留装置１の導入費用、維持管理費用と相殺することにより、動物用係留装置１を設置する店舗を運営する者（動物係留装置の費用を負担する者）の費用負担を軽減することができる。
【００２７】
図５に示す実施の形態２に係る動物用係留装置６１について説明する。
この動物用係留装置６１は、実施の形態１に係る動物用係留装置１と同様の構成部分を有するので、動物用係留装置１と同じ構成部分については、実施の形態１と同じ符号を付すことで説明を省略し、動物用係留装置１と相違する構成部分のみを説明する。このことは後述する実施の形態３についても適用する。
符号６３はウエイトを示し、ウエイト６３はほぼ半球状をなしており、平坦な下面が地面Ｃに接している。ウエイト６３には、ポール７と同様に衛生面を考慮して抗菌塗装が施されている。
【００２８】
ウエイト６３の中央部には貫通穴６５が設けられており、貫通穴６５にポール７が通された状態で、設置部材３上にウエイト６３が載せられている。ウエイト６３と設置部材３を下から貫通する４本のボルト６６によって連結されている。
この動物用係留装置６１では、実施の形態１に係る動物用係留装置１と異なり、地面Ｃにアンカーボルト５を打ち込むことなく、動物用係留装置６１を固定することができるので、アンカーボルト５を打ち込むことができない場所にも動物用係留装置６１を、不用意に倒れたりしない状態に設置することができる。
支持手段は、ウエイト６３、設置部材３及びボルト６６によって構成されている。
【００２９】
動物用係留装置６１のリード連結部６７は、ネジ挿通穴２７が形成された固定板２５、前方へ真っ直ぐに突出する軸６９及び軸６９の先端部に対して一体に形成された円盤状のストッパー７１によって構成されている。
また、リード規制部７３はリード巻きつけ軸４５と、このリード巻きつけ軸４５の先端部に対して一体に形成されたストッパー７２とによって構成されている。ストッパー７２は円柱状の軸７５と、この軸７５の両端部に一体に形成された上下方向に２つ連なる球状部材７９とによって構成されている。なお、ストッパー７１に広告、ホームページアドレス、電話番号等を記載してもよい。
【００３０】
図６に示す実施の形態３に係る動物用係留装置８１について説明する。
この動物用係留装置８１では、捨てコンクリート８０上に形成された支持手段を構成する埋設部としてのコンクリートブロック８２が設けられ、このコンクリートブロック８２に設置部材３がアンカーボルト５によって固定されている。コンクリートブロック８２は地中に埋設状態で設けられ、ポール７の下端部も地中に入り込んでいる。
この動物用係留装置８１では、ポール７をより強固に支持することができる。
リード連結部８５は、湾曲軸３１の両端部に円盤状部８７が一体に形成されている。
また、リード規制部８９は、ストッパー９１が実施の形態１に係るストッパー４９より薄く形成されており、この点を除いて同様の形状をなしている。
【００３１】
以上、本発明の実施の形態について詳述してきたが、具体的構成は、この実施の形態に限られるものではなく、本発明の要旨を逸脱しない範囲における設計の変更などがあっても発明に含まれる。
例えば、本発明の動物用係留装置の設置場所は店舗に限らず、公園施設、観光レジャー施設等であってもよい。
本発明の動物用係留装置にリードを介して係留する動物は犬に限らず、その他ペットにする動物であれば猫等であってもよい。
【００３２】
シートにＱＲコード等を付して、このＱＲコードから広告スポンサー等のホームページにアクセスできるようにすれば、多様な情報提供を行うことが可能となり、有効なプロモーションを実現することができる。
また、ポールに音声を発したりや映像を表示する装置を備えることも可能であり、この装置はポールに内蔵してもよいが、ポールの頂部にオプションとして後付けするものにしてもよい。この装置は常時音声等を発しているものでもよいが、センサーによって例えば人が近づいたことを検知して、作動するタイプとしてもよい。この音声や映像は「いらっしゃいませ」等の挨拶を示すものの他、動物用係留装置に動物を係留する者が楽しんだり、動物が喜んだり、癒されたりするものを選定してもよい。
本発明の動物用係留装置とパーティションとを併用すれば、犬等の動物が行動できる範囲を確実に規制して、犬等が歩行者等の邪魔になるのをより確実に防止できる共に安全性を向上させることができる。なお、パーティションをメッシュ、格子等によって構成されたものにすれば、犬等にも、また見た目にも圧迫感のないものとできる。
なお、リード連結部、リード規制部はそれぞれ壁面等に備えて使用してもよい。
【００３３】
柱状部としてのポールの形状が上記実施の形態に示したものに限定されず、平面視が真円形の円柱状、四角柱状等であってもよい。
また、リード連結部、リード規制部も上記実施の形態に示したものに限定されない。
更に、実施の形態３に係る動物用係留装置８１では、ポール７を設置部材３とアンカーボルト５を介して、コンクリートブロック８２に連結したが、ポール７の下端部をコンクリートブロック８２に直接埋め込んで連結してもよい。
【図面の簡単な説明】
【００３４】
【図１】本発明の実施の形態１に係る動物用係留装置の設置場所、及び使用方法を説明するための図である。
【図２】図１の動物用係留装置に犬を繋ぎ止める方法を説明するための図である。
【図３】（Ａ）が図１の動物用係留装置の平面図、（Ｂ）が正面図である。
【図４】図１の動物用係留装置のシートを新しいシートに貼り換える作業を説明するための図である。
【図５】本発明の実施の形態２に係る動物用係留装置の正面図である。
【図６】本発明の実施の形態３に係る動物用係留装置の正面図である。
【符号の説明】
【００３５】
１…動物用係留装置                        ３…設置部材
５…アンカーボルト                        ７…ポール
９…正面部                                １１…側面部
１３…雌ネジ部                            １５…雌ネジ部  
１７…シート                              ２３…リード連結部
２５…固定板                              ２７…ネジ挿通穴
２９…ネジ                                ３１…湾曲軸
３３…ストッパー                          ３５…球状部
３７…リード規制部                        ３９…固定板
４１…ネジ挿通穴                          ４３…ネジ
４５…リード巻きつけ軸                    ４９…ストッパー
５１…リード                              ５３…持ち手部
５５…シート                              ６１…動物用係留装置
６３…ウエイト                            ６５…貫通穴
６６…ボルト                              ６７…リード連結部
６９…軸                                  ７１…ストッパー
７２…ストッパー                          ７３…リード規制部
７５…軸                                  ８１…動物用係留装置
８０…捨てコンクリート                    ８２…コンクリートブロック
８５…リード連結部                        ８７…円盤状部
８９…リード規制部                        ９１…ストッパー
Ｃ…地面                                  Ｄ…犬
【図１】
2010094105.tif 000003
【図２】
2010094105.tif 000004
【図３】
2010094105.tif 000005
【図４】
2010094105.tif 000006
【図５】
2010094105.tif 000007
【図６】
2010094105.tif 000008